(57)【要約】【課題】表示装置において、結露が生ずるか、ヒーターをつけるべきか否かを的確に判断する。そして、無駄なヒーターによる加熱を無くし、無駄な電力消費を無くす。【解決手段】表示装置は、表示部と、温度センサーと、湿度センサーと、表示部を温めるためのヒーターと、表示装置の温度と、相対湿度を計測する制御部と、を含む。制御部は、ヒーターに通電を行うか否かの判定処理の実行時の温度である現在温度を計測し、判定処理よりも前の基準時点で計測しておいた基準温度及び基準相対湿度と基準温度での飽和水蒸気量と、現在温度での飽和水蒸気量に基づいて、判定処理の実行時の予測相対湿度、又は、予測絶対湿度の何れか一方、又は、両方である予測値を算出し、予測値が予め定められた閾値以上のときヒーターへの通電を開始し、閾値を下回っているときヒーターへの通電を行わない。【選択図】図６
2015158634.tif 000002
【特許請求の範囲】
【請求項１】
画面に画像を表示するための表示部と、
前記表示部内の温度を計測するための温度センサーと、
前記表示部内の湿度を計測するための湿度センサーと、
前記表示部を温めるためのヒーターと、
前記温度センサーの出力に基づいて表示装置の温度を計測するとともに、前記湿度センサーの出力に基づいて相対湿度を計測し、前記ヒーターに通電を行うか否かの判定処理を実行する制御部と、を含み、
前記制御部は、前記判定処理において、前記判定処理の実行時の温度である現在温度を計測し、前記判定処理よりも前の時点であって予め定められた基準時点で計測しておいた温度である基準温度、前記基準時点での相対湿度である基準相対湿度、前記基準温度での飽和水蒸気量である基準飽和水蒸気量、前記基準温度、前記基準相対湿度、前記基準飽和水蒸気量から求めた前記基準時点での基準絶対湿度、及び、前記現在温度での飽和水蒸気量である現在飽和水蒸気量に基づいて、前記判定処理の実行時の前記表示部の内部の予測相対湿度、又は、予測絶対湿度の何れか一方、又は、両方である予測値を算出し、前記予測値が予め定められた閾値以上であるとき、前記ヒーターへの通電を開始し、前記予測値が前記閾値を下回っているとき、前記ヒーターへの通電を行わないことを特徴とする表示装置。
【請求項２】
前記制御部は、前記判定処理により前記ヒーターへの通電を開始した後、前記温度センサーの出力に基づき温度の上昇を検知するとともに、飽和水蒸気量が予測絶対湿度以上の温度が検知されたとき、前記ヒーターへの通電を停止することを特徴とする請求項１記載の表示装置。
【請求項３】
前記制御部は、前記判定処理を周期的に行い、前記基準相対湿度が高いほど前記判定処理を行う周期を短くし、前記基準相対湿度が低いほど前記判定処理を行う前記周期を長くすることを特徴とする請求項１又は２に記載の表示装置。
【請求項４】
前記制御部は、前記判定処理の結果に基づき前記ヒーターへの通電を行い、現時点の前記判定処理で検知された前記現在温度と直前の前記判定処理での前記現在温度との温度差の絶対値が小さいほど前記判定処理を行う前記周期を長くし、温度差の絶対値が大きいほど前記周期を短くすることを特徴とする請求項３に記載の表示装置。
【請求項５】
前記制御部は、電源供給開始により前記制御部が起動したとき、前記基準温度及び前記基準相対湿度を計測し、更に、直前の前記基準時点から予め定められた時間が経過したときを新たな前記基準時点として、前記基準温度及び前記基準相対湿度を更新することを特徴とする請求項１乃至５の何れか１項に記載の表示装置。
【請求項６】
前記制御部は、相対湿度１００％、相対湿度１００％から予め定められたマージン分を減じた相対湿度、前記現在温度での現在飽和水蒸気量、又は、前記現在温度での現在飽和水蒸気量から予め定められたマージン分を減じた絶対湿度の何れかを前記閾値とすることを特徴とする請求項１乃至５の何れか１項に記載の表示装置。
【請求項７】
前記表示部が見えるように開口部を有し、前記表示部を覆うカバーを含み、
前記ヒーターは、前記開口部の辺のうち、何れか１つ、又は、複数の辺に沿うように設けられることを特徴とする表示装置。
【請求項８】
請求項１乃至７の何れか１項に記載の表示装置を含むことを特徴とする画像形成装置。
【発明の詳細な説明】
【技術分野】
【０００１】
本発明は、画像を表示する表示装置、及び、これを備えた画像形成装置に関する。
【背景技術】
【０００２】
近年、複合機、複写機、プリンターなどの画像形成装置には、表示画面を備えた操作パネルが設けられることが多い。そして、表示画面に対し、タッチパネルが設けられ、表示されたキーやボタンを選択する操作が、タッチパネルにより画像形成装置に関する設定入力として受け付けられる。そして、表示画面には、薄さなどの利点から液晶表示パネルが用いられることがある。液晶表示パネルの光源（バックライト）は、温度変化の影響を受ける。例えば、周囲環境や表示部分の光源自身が発する熱などに基づく温度変化に起因し、光源の輝度や色が変動し、画質が悪くなる、色合いがおかしくなるといった問題が生ずる場合がある、これらの異常が生ずると、画面（画像）は見づらくなる。このような画質の劣化を抑えるため、温度変化に伴う画面や表示の異常を校正する画像表示装置の一例が特許文献１に記載されている。
【０００３】
具体的に、特許文献１には、発光色度および発光輝度の調整が可能な光源（Ｒ、Ｇ、Ｂの発光体）と、光源からの光を画素毎に変調して画像を表示する画像表示手段（カラー液晶パネル）を備え、光源の近傍温度を検出し、検出温度に応じ光源の発光色度および発光輝度の制御量である光源制御量を補正し、温度補正された発光制御量を出力し、光源の発光色度および発光輝度を調整して駆動し、外部から入力される画素毎の画像情報である複数の第一の色データを色変換して、複数の第二の色データを求め、複数の第二の色データに基づいて光源からの光を画素毎に変調する画像表示装置の一例が特許文献１に記載されている。画像品質の劣化を低減しながら、光源自体が生ずる熱などによる光源近傍の温度変化に起因する表示色度や輝度の変動を校正しようとする（特許文献１：請求項１、段落［０００８］、［００１２］、［００１３］等参照）。
【先行技術文献】
【特許文献】
【０００４】
【特許文献１】特開２００６−０３０４１６号公報
【発明の概要】
【発明が解決しようとする課題】
【０００５】
特許文献１には、周囲環境や発光体（光源）自身が発する熱などに基づく温度変化に起因して表示画面が見づらくなることが記載されている。そして、表示画面の表示が見づらくなる他の要因には、表示部分での結露がある。結露は、急激な温度や湿度の変化に起因して生ずる。例えば、換気などの理由で、画像形成装置の周囲環境の温度、湿度が変化すると、操作パネルで結露が生ずることがある。
【０００６】
通常、液晶表示パネルを用いるとき、操作パネルには、バックライト、液晶パネル、タッチパネル部などの積み重ね（組合せ）が設けられる。外部露出するタッチパネル部の表面や、組み合わされる部材の間（隙間）で、結露が発すると表示画面が見づらくなる。
【０００７】
従来、画像形成装置では、結露による印刷物の画質低下を防ぐため、画像形成装置内部のトナー像を形成する部材（例えば、感光体ドラム）や、給紙を行う装置（例えば、用紙カセット）や、原稿をスキャンするための部分にヒーターを設ける場合がある。しかし、画像形成装置の操作パネルにヒーターを設けた製品は無く、結露が生ずると、画面（画像）が見づらくなるという問題が生じている。
【０００８】
このような表示画面での結露を防ぐため、画像形成装置の操作パネルに、ヒーターを設けることが考えられるが、操作パネルにヒーターを設ける場合、必要が無いのにヒーターをオンすると、電力を無駄に消費してしまうという問題がある。また、操作パネルの表示に関する部分を無駄に温めてしまいかねない。
【０００９】
急に温度が低下したとき、結露は、生じやすい。そこで、操作パネルに温度センサーを設け、一定時間内に閾値を超える温度の低下を検知したとき（急激と認める温度低下を検知したとき）、ヒーターへの通電（電力供給）を開始することが考えられる。しかし、温度に対する飽和水蒸気量の変化は線型ではなく、一定温度の低下が生じたからといって、必ずしも、結露が生ずるとは限らない。従って、このような制御では、一定温度低下しても結露が生じないのに、ヒーターに通電してしまう場合がある。この場合、無駄な電力が消費される。
【００１０】
また、操作パネルの表示に関する部分での結露発生を判断するため、湿度センサー（湿度センサーユニット）を設け、湿度そのものを検知することが考えられる。そして、湿度センサーには、相対湿度に応じた電圧値を出力するものが用いられることがある。通常、このような湿度センサーでの湿度変化に対する出力値の追従性（応答性）は、温度センサーなどに比べると悪く、実際の相対湿度に応じた出力値になるまでの時間的な遅れが湿度センサーにはある。
【００１１】
そのため、湿度センサーの出力に基づき検知された湿度と実際の湿度の誤差が、大きくなっている場合（実際の相対湿度の検知が遅れている場合）がある。従って、ヒーターへの通電の必要性の判断を、湿度センサーの出力値（湿度センサーを用いて検知した相対湿度）のみに基づいて行うと、結露は生じないのに結露が生ずると誤って判定してヒーターを点けてしまう場合や、反対に結露は生じそうなのに結露が生じないと誤って判定して、ヒーターへの通電が開始されない場合も生じ得る。
【００１２】
ここで、特許文献１には、湿度の変化に対し、湿度センサーの出力値の追従（変化）の遅れに起因する問題についての記載が無い。従って、無駄にヒーターを通電してしまう可能性や、結露が生ずる可能性が高くてヒーターに通電する必要があるのに、ヒーターへの通電が行われない可能性もある。また、特許文献１記載の技術は、温度変化による発光色度、輝度を校正するものであるところ、ヒーターは温度変化を生じさせる要因であり、ヒーターによる加熱が、色度や輝度の適切な校正を妨げる要因となる可能性もあり、特許文献１記載の装置にヒーターを搭載することは好ましくない場合があり得る。
【００１３】
本発明は上記の問題点に鑑み、表示装置において、結露が生ずるか、ヒーターをつけるべきか否かを的確に判断する。そして、無駄なヒーターによる加熱を無くし、無駄な電力消費を無くす。
【課題を解決するための手段】
【００１４】
上記課題解決のため、請求項１に係る表示装置は、画面に画像を表示するための表示部と、前記表示部内の温度を計測するための温度センサーと、前記表示部内の湿度を計測するための湿度センサーと、前記表示部を温めるためのヒーターと、前記温度センサーの出力に基づいて表示装置の温度を計測するとともに、前記湿度センサーの出力に基づいて相対湿度を計測し、前記ヒーターに通電を行うか否かの判定処理を実行する制御部と、を含み、前記制御部は、前記判定処理において、前記判定処理の実行時の温度である現在温度を計測し、前記判定処理よりも前の時点であって予め定められた基準時点で計測しておいた温度である基準温度、前記基準時点での相対湿度である基準相対湿度、前記基準温度での飽和水蒸気量である基準飽和水蒸気量、前記基準温度、前記基準相対湿度、前記基準飽和水蒸気量から求めた前記基準時点での基準絶対湿度、及び、前記現在温度での飽和水蒸気量である現在飽和水蒸気量に基づいて、前記判定処理の実行時の前記表示部の内部の予測相対湿度、又は、予測絶対湿度の何れか一方、又は、両方である予測値を算出し、前記予測値が予め定められた閾値以上であるとき、前記ヒーターへの通電を開始し、前記予測値が前記閾値を下回っているとき、前記ヒーターへの通電を行わないこととした。
【発明の効果】
【００１５】
上述したように、本発明によれば、表示装置、画像形成装置において、従来よりも、結露が生ずるか、ヒーターをつけるべきか否かを的確に判断することができる。そして、無駄なヒーターによる加熱を無くし、無駄な電力消費を無くすことができる。
【図面の簡単な説明】
【００１６】
【図１】複合機の構造の一例を示す図である。
【図２】パネル操作部の分解斜視図である。
【図３】複合機のハードウェア構成の一例を示す図である。
【図４】操作パネルのハードウェア構成の一例を示す図である。
【図５】操作パネルでのヒーターの配置の一例を示す説明図である。
【図６】ヒーターへの通電の必要性の判定処理の流れの一例を示すフローチャートである。
【図７】ヒーターへの通電の必要性の判定処理の流れの一例を示すフローチャートである。
【発明を実施するための形態】
【００１７】
以下、図１〜図７を用い、本発明の実施形態を説明する。以下では、操作パネル１（表示装置に相当）を含む複合機１００（画像形成装置に相当）を例に挙げ説明する。但し、本実施の形態に記載されている構成、配置等の各要素は、発明の範囲を限定せず、単なる説明例にすぎない。
【００１８】
（複合機１００の概要）
まず、図１を用いて、複合機１００の概要を説明する。図１は、実施形態に係る複合機１００の構造の一例を示す図である。
【００１９】
図１に示すように、本実施形態の複合機１００は、前面に取り付けられた操作パネル１を有する（詳細は後述）。そして、複合機１００は上部に原稿搬送部２ａと画像読取部２ｂを含む読取部２を有する。又、複合機１００は、内部に、印刷部３として、給紙部３ａ、第１搬送部３ｂ、画像形成部３ｃ、定着部３ｄ、第２搬送部３ｅを含む。
【００２０】
原稿を搬送して読み取るとき、原稿搬送部２ａは、原稿トレイに載置された原稿を１枚ずつ読取位置に向けて搬送する。画像読取部２ｂは、搬送される原稿や原稿台に載置された原稿を読み取り、原稿の画像データを生成する。
【００２１】
給紙部３ａは、複数枚の用紙を収容し、印刷のとき、用紙を送り出す。第１搬送部３ｂは、給紙部３ａから供給された用紙を画像形成部３ｃまで搬送する。画像形成部３ｃは、印刷する画像データに基づき、トナー像を形成し、用紙にトナー像を転写する。定着部３ｄは、トナー像が転写された用紙を加熱・加圧して、用紙にトナー像を定着させる。第２搬送部３ｅは、定着部３ｄを通過した用紙を排出トレイに排出する。
【００２２】
（操作パネル１）
次に、図１を用いて、実施形態に係る操作パネル１（表示装置）の一例を説明する。
【００２３】
図１に示すように、操作パネル１は、複合機１００の正面右側に設けられる。操作パネル１は、複合機１００の状態や各種メッセージや設定用画面や画像を表示するパネル操作部１ａとハードキー１１が配されたキー操作部１ｂを備える。パネル操作部１ａは、液晶表示部４ａ（液晶表示パネル）及びバックライト部４ｂにより、設定に関する表示（設定項目の設定画面や、設定用のキー、ボタン）を行う表示部４を含む。尚、液晶表示パネルではなく、有機ＥＬ表示パネルのように、他種の表示パネルを代用してもよい。
【００２４】
パネル操作部１ａの表示部４には、各種設定操作を受け付けるためのタッチパネル部４ｃが含まれる。タッチパネル部４ｃは、液晶表示部４ａの上面に設けられる。タッチパネル部４ｃは、液晶表示部４ａのうち、使用者にタッチされた部分の位置（座標）を検知するためのものである。尚、タッチパネル部４ｃとしては抵抗膜方式、表面弾性波方式、赤外線方式、静電容量方式等、各方式のものを採用でき特に制限はない。
【００２５】
操作パネル１は、タッチパネル部４ｃを用いたタッチ位置の検出座標と、液晶表示部４ａに示される各種キーの位置、範囲、座標を比較し、操作されたキー（タッチ位置の直下にあるキー）を認識する。これにより、使用者が操作したキーが特定され、入力が受け付けられる。
【００２６】
また、パネル操作部１ａの下方のキー操作部１ｂには、複数のハードキー１１が設けられる。複合機１００の操作パネル１は、ハードキー１１として、用いる機能を選択するため機能選択キー群１１ａを含む。また、操作パネル１は、数値入力用のテンキー部１１ｂや、ジョブの実行を指示するためのスタートキー１１ｃなどを含む。また、操作パネル１は、各種ハードキー１１への操作を受け付ける。
【００２７】
これらタッチパネル部４ｃへの操作や、各種ハードキー１１への操作によって、実行するジョブの種類、コピーのような印刷の条件、送信方法、送信先のアドレス、用紙のサイズ及び種類、原稿のサイズ及び種類のような送信などの設定を受け付ける。これにより、使用者は、複合機１００のコピーや送信等の各種機能における各種設定や動作指示を行える。
【００２８】
（パネル操作部１ａ）
次に、図２を用いて、操作パネル１中のパネル操作部１ａについて説明する。図２は、実施形態に係るパネル操作部１ａ部分の分解斜視図である。尚、図２では、操作パネル１のうちキー操作部１ｂ部分の図示は、省略している。
【００２９】
図２に示すように、操作パネル１のパネル操作部１ａは、タッチパネル部４ｃ、液晶表示部４ａ、バックライト部４ｂからなる表示部４を含む。言い換えると、表示部４は、タッチパネル部４ｃ、液晶表示部４ａ、バックライト部４ｂで構成される。具体的に、タッチパネル部４ｃの裏面側（下側、使用者から見て奥側）に、液晶表示部４ａが配される。タッチパネル部４ｃは、液晶表示部４ａに表示された画面上の画像を透過する。例えば、タッチパネル部４ｃには、透明のプラスチック板やガラス板が用いられる。
【００３０】
そして、液晶表示部４ａの裏面側（下側、使用者から見て奥側）に、バックライト部４ｂが設けられる。バックライト部４ｂは、液晶表示部４ａに光を照射する。図２では、面状の導光板と、導光板のエッジに取り付けられた光源（光源は不図示）含むバックライト部４ｂを例示している。尚、バックライト部４ｂは、複数のＬＥＤのような光源を並べるタイプのものでもよい。
【００３１】
液晶表示部４ａは、偏光フィルタ、ガラス基板、電極、液晶層のような複数の層が積み重ねられた表示パネルである。液晶表示部４ａは、バックライト部４ｂの光を透過させたり、させなかったりして、表示を行う。
【００３２】
そして、表示部４（タッチパネル部４ｃ、液晶表示部４ａ、バックライト部４ｂ）に対し、表面側（上側、使用者から見て手前側）から、カバー１２が被せられる。また、カバー１２とタッチパネル部４ｃの間には、操作パネル１内部への埃やゴミの進入を防ぐシール材１３が挟まれる。シール材１３はタッチパネル部４ｃの上面外周に沿った大きさの矩形環状である。そして、シール材１３は、カバー１２の内面と接し、タッチパネル部４ｃの上面と接する。
【００３３】
又、カバー１２には、開口部１２ａ（操作窓）が設けられる。開口部１２ａは、矩形状であり、タッチパネル部４ｃのうち、開口部１２ａに応じた矩形の領域は外部に露出する。この露出部分が使用者から（外部から）視認でき、使用者によりタッチされ得る領域（タッチ可能領域４ｄ）となる。また、表示部４によって、表示がなされる領域となる。
【００３４】
また、図２に示すように、操作パネル１の表示部４に対し（パネル操作部１ａ内に）、温度センサー５と湿度センサー６が設けられる（内蔵される）。温度センサー５と湿度センサー６は、操作パネル１近傍や操作パネル１の内部（パネル操作部１ａの内部）の温度と湿度を検知するために設けられる。温度センサー５と湿度センサー６は、使用者から見えないように設けられる。例えば、温度センサー５と湿度センサー６は、バックライト部４ｂよりも下側に設けられてもよいし、液晶表示部４ａとバックライト部４ｂの間に設けられてもよいし、カバー１２とタッチパネル部４ｃの隙間部分に設けられてもよい。
【００３５】
そして、カバー１２の背面部分を閉じるための背面板１２ｂが、カバー１２に取り付けられる。カバー１２の背面板１２ｂによる筐体の内部に、表示部４（タッチパネル部４ｃ、液晶表示部４ａ、バックライト部４ｂ）、シール材１３、温度センサー５、湿度センサー６が含まれる。尚、パネル操作部１ａ内には、部材固定用のフレームなどが設けられるが図示を省略している。
【００３６】
（複合機１００のハードウェア構成）
次に、図３を用いて、複合機１００のハードウェア構成概要を説明する。図３は、実施形態に係る複合機１００のハードウェア構成を示す図である。
【００３７】
図３に示すように、本実施形態の複合機１００は、主制御部１０１を含む。主制御部１０１は、複合機１００に含まれる各部を制御する。主制御部１０１は、ＣＰＵ１０２や、複合機１００に関する処理の専用回路であるＡＳＩＣ１０３や、印刷や送信（ファクシミリ通信を含む）に用いる画像データを生成する画像処理部１０４や、その他の電子回路や素子を含む。ＣＰＵ１０２は、記憶部１０５に記憶される制御ファームウェアや制御用データに基づき複合機１００の各部の制御や演算を行う。記憶部１０５は、ＲＯＭ、ＨＤＤのような不揮発性と記憶装置と、ＲＡＭのような揮発性の記憶装置の組み合わせで構成される（詳細は後述）。
【００３８】
そして、主制御部１０１は、用紙搬送や、トナー像形成、転写、定着により印刷を行う印刷部３（給紙部３ａ、第１搬送部３ｂ、画像形成部３ｃ、定着部３ｄ、第２搬送部３ｅなど）と読取部２の動作を制御する。
【００３９】
又、主制御部１０１には、通信部１０６が接続される。主制御部１０１は通信部１０６の動作、通信処理を制御する。通信部１０６は、パーソナルコンピューターやサーバーのようなコンピューター２００やＦＡＸ装置３００と通信を行うためのインターフェイスである。
【００４０】
そして、主制御部１０１は、コンピューター２００から受信した印刷用データや読取部２の原稿読み取りで得られた画像データに基づき印刷部３に印刷を行わせる（コピー機能、プリンター機能）。また、主制御部１０１は、読取部２による原稿読み取りで得られた画像データを、通信部１０６を介して、コンピューター２００やＦＡＸ装置３００に送信させる（スキャン送信機能）。尚、通信部１０６は、コンピューター２００やＦＡＸ装置３００から画像データを受信することもできる。
【００４１】
又、主制御部１０１は、操作パネル１の表示等の動作を制御する。又、主制御部１０１は、操作パネル１でなされた入力、操作、及び、その設定内容を認識し、設定内容や印刷の実行指示を認識する。
【００４２】
（操作パネル１のハードウェア構成）
次に、図４を用いて、本実施形態に係る操作パネル１のハードウェア構成の一例を説明する。図４は、実施形態に係る操作パネル１のハードウェア構成の一例を示す図である。
【００４３】
本実施形態の操作パネル１はパネル制御部１０（制御部に相当）を含む。また、操作パネル１は、表示部４の他、メモリー７、ドライバー回路１０ａ、駆動回路１０ｂ、ヒーター８を含む。
【００４４】
まず、パネル制御部１０は、ＣＰＵ１０ｃやＩＣなどの回路を含む。パネル制御部１０は、表示部４（バックライト部４ｂ、液晶表示部４ａ）の動作を制御して、表示を制御する。また、パネル制御部１０は、タッチパネル部４ｃの出力を受け、液晶表示部４ａが表示する画面に対し、タッチされた位置の座標を認識する。尚、タッチパネル部４ｃの出力と座標の対応を示すテーブル等のデータはメモリー７に記憶される。パネル制御部１０は、タッチ位置の座標と、各設定画面の画像データを比較して、画面上で選択された（押された）キーを特定、認識する。また、パネル制御部１０は、ハードキー１１のうちどのハードキー１１が押されたかを認識する。
【００４５】
具体的に、複合機１００の各機能の設定項目を選択し、設定値を設定するには、タッチパネル部４ｃをタッチして、最上層の画面から表示部４に表示されるキーの選択を繰り返す。そして、キー選択ごとに、パネル制御部１０は、表示部４の表示を切り換えさせ、最終的に、選択、設定しようとする機能の設定値が設定される。パネル制御部１０は、この機能の選択、設定が行われたことを認識し、その内容を本体の主制御部１０１に送信する。これにより、主制御部１０１は、操作パネル１で選択、設定された機能を反映した動作を読取部２や、印刷部３や、通信部１０６のような各部に行わせる。これにより、使用者の意思が、印刷、送信等において反映される（例えば、濃度設定や拡大縮小など）。
【００４６】
表示部４の画面に表示される画像の画像データｄ１は例えば、操作パネル１内のメモリー７に記憶される（図４参照）。従って、パネル制御部１０は、設定項目の選択画面や各設定画面中のキーが押下されるごとに、パネル制御部１０は次に表示すべき画面の画像データｄ１をメモリー７から読み出す。
【００４７】
パネル制御部１０は、液晶表示部４ａの表示を実際に制御するドライバー回路１０ａに指示を与える。尚、操作パネル１には、パネル制御部１０やメモリー７を設けず、パネル制御部１０、メモリー７の機能を主制御部１０１の構成（ＣＰＵ１０２や記憶部１０５）が行うようにしてもよい。
【００４８】
また、操作パネル１には、温度センサー５が設けられる。温度センサー５の出力は、パネル制御部１０に入力される。パネル制御部１０は、温度センサー５の出力電圧値に基づき、温度センサー５の設置位置（操作パネル１や表示部４）の温度を計測する。例えば、温度センサー５は、サーミスターを含み、温度に応じて出力電圧値が変化する。温度センサー５の出力電圧値に対して温度を定めたデータ（テーブル）は、メモリー７に記憶される。パネル制御部１０は、メモリー７に記憶されたデータと、温度センサー５の出力電圧に基づき、温度を検知、計測する。
【００４９】
更に、操作パネル１には、湿度センサー６が設けられる。湿度センサー６の出力は、パネル制御部１０に入力される。パネル制御部１０は、湿度センサー６の出力電圧値に基づき、湿度センサー６の設置位置（操作パネル１や表示部４内部）の相対湿度を計測する。
【００５０】
具体的に、湿度センサー６は、湿度を検知するための湿度検知素子６１と、湿度検知素子６１の出力値（出力電圧値）を処理して、相対湿度に応じた電圧値とする信号処理回路６２を含む。
【００５１】
例えば、湿度検知素子６１は、電極や、空気中の水分を吸収又は放出を行う感湿材を含み、湿度（空気中の水分）の影響を受け、湿度により特性が変化する部分である。湿度検知素子６１としては、湿度に応じて静電容量が変化する容量変化型素子や、湿度に応じて電気抵抗値（導電率）が変化する抵抗変化型素子を用いることができる。
【００５２】
信号処理回路６２は、例えば、相対湿度に対する出力電圧値の直線性を高めるためのリニアライズ回路や、温度による出力特性の差を調整するための温度補償回路や、相対湿度１００％のとき、予め定められた電圧（例えば、ＤＣ１．０Ｖ）となるように規格化する規格化回路を含む。この信号処理回路６２によって、例えば、温度センサー５（信号処理回路６２）の出力電圧値が大きいほど相対湿度が高いことを示し、小さいほど相対湿度が低いことを示す信号（電圧）が出力される。尚、出力電圧値が大きいほど相対湿度が低いことを示し、小さいほど相対湿度が高いことを示す信号を出力する湿度検知素子６１や信号処理回路６２を用いてもよい。
【００５３】
このように、湿度センサー６は、相対湿度の大きさに応じた電圧値を出力する。湿度センサー６の出力電圧値に対して、相対湿度を定めたデータ（テーブル）は、メモリー７に記憶される。パネル制御部１０は、メモリー７に記憶されたデータと、湿度センサー６（信号処理回路６２）の出力電圧に基づき、湿度を検知（計測）する。
【００５４】
また、実施形態に係る操作パネル１には、ヒーター８が設けられる。ヒーター８は、表示部４（タッチパネル部４ｃ、液晶表示部４ａ、バックライト部４ｂ）を温める。パネル制御部１０は、温度センサー５と湿度センサー６の出力に基づき、温度、湿度を計測し、計測した温度、湿度により結露が表示部４で生ずると判定したとき、ヒーター８に通電を行って、表示部４や操作パネル１を温め、結露を未然に防ぐ（詳細は後述）。
【００５５】
（操作パネル１のヒーター８）
次に、図４、図５を用いて、実施形態に係る操作パネル１でのヒーター８の配置の一例を説明する。図５は、実施形態に係る操作パネル１でのヒーター８の配置の一例を示す説明図である。
【００５６】
まず、図５に示すように、本実施形態の操作パネル１には、温度センサー５と湿度センサー６が設けられる。温度センサー５と湿度センサー６は、カバーの下方などに設置され、使用者（外側）からは視認できないようになっている。尚、温度センサー５と湿度センサー６は、ヒーター８と接しないように設けられる。
【００５７】
また、本実施形態の操作パネル１では、ヒーター８が設けられる。図５において、ヒーター８の設置箇所の一例を破線で示している。具体的に、図５では、操作パネル１のカバーの開口部１２ａの内側の上下左右の各辺に沿って（カバーの内辺に沿って）、ヒーター８が設けられる。言い換えると、ヒーター８は、使用者から見えず、開口部１２ａ（タッチ可能領域４ｄ）にはみ出さないように、カバー１２の下方に（裏面側に）設けられる。尚、ヒーター８は、４辺の全てに対して設ける例（開口部１２ａを囲うように設ける例）を示しているが、４辺の内、何れか１辺、何れか２辺、又は、何れか３辺に対してのみ設けるようにしてもよい。
【００５８】
ヒーター８は、例えば、シート状（板型）である。しかし、ヒーター８は、棒型や、管型のものでもよい。また、ヒーター８は、通電により発熱する発熱体を内蔵する。発熱体は、樹脂やセラミックで覆われる。言い換えると、ヒーター８には、樹脂製のヒーター８や、セラミックヒーター８を用いることができる。
【００５９】
また、図４に示すように、ヒーター８への通電を制御するために、駆動回路１０ｂが設けられる。パネル制御部１０は、ヒーター８に通電して表示部４を加熱するとき、ヒーター８に電力を供給すべき旨の信号を駆動回路１０ｂに与える。駆動回路１０ｂは、パネル制御部１０からの信号がヒーター８のＯＮのときの値である間、ヒーター８に通電する。一方、パネル制御部１０は、ヒーター８への通電を行わず、表示部４の加熱を行わないとき、ヒーター８への電力供給を停止すべき旨の信号を駆動装置に与える。駆動回路１０ｂは、パネル制御部１０からの信号がヒーター８のＯＦＦのときの値である間、ヒーター８への通電を停止する。
【００６０】
（ヒーター８への通電の必要性の判定処理の流れ）
次に、図６、図７を用いて、実施形態に係る操作パネル１でのヒーター８への通電の必要性の判定処理の流れの一例を説明する。図６、７は、ヒーター８への通電の必要性の判定処理の流れの一例を示すフローチャートである。尚、図６、図７は、フローの流れを分割したものであり、一連である。
【００６１】
図６のスタートは、メインスイッチにより、複合機１００の主電源が投入されたときや、省電力モードから通常モードへの復帰により、操作パネル１の全体に対して、電力供給が開始、再開され、パネル制御部１０が起動した時点である。
【００６２】
まず、パネル制御部１０は、温度センサー５の出力に基づき、基準となる温度である基準温度と、湿度センサー６の出力に基づき、基準となる相対湿度である基準相対湿度を計測する（ステップ♯１）。そして、パネル制御部１０は、計測した基準温度と基準相対湿度をメモリー７に記憶させて、保存する（ステップ♯２）。
【００６３】
続いて、パネル制御部１０は、計測した基準相対湿度に基づき、判定処理の周期を設定する（ステップ♯３）。基準相対湿度が高ければ、僅かな温度低下や空気中の水分量の増加でも、結露発生の可能性が高くなる。一方、基準相対湿度が低ければ、温度変化や空気中の水分量の変化があっても、結露発生の可能性は低い。
【００６４】
そこで、パネル制御部１０は、基準相対湿度が高いほど、判定処理の実行の周期を短くし、基準相対湿度が低いほど、判定処理の実行の周期を長くする（ステップ♯３）。例えば、周期の最大を３００秒（５分）とし、３００秒に（１−基準相対湿度）を乗じた値を周期と設定してもよい。尚、詳細は後述するが、ヒーター８の通電中は、判定処理を実行する必要はない。また、基準相対湿度が５０％のときの周期を５分とし、基準相対湿度が５０％から１％高くなるにつれて５秒ずつ短く、また、基準相対湿度が５０％から１％低くなるにつれて５秒ずつ長くするように、周期を設定してもよい。これらはあくまで一例であり、最長周期、最短周期、基準相対湿度に応じた周期の設定手法は、適宜定めることができる。これにより、湿度が高く結露が生じやすい状態では、ヒーター８への通電の必要性の確認の頻度を高くし、結露発生を未然に防ぐことができる。また、湿度が低く結露が生じにくいような状態では、ヒーター８への通電の必要性の確認の頻度を抑え、パネル制御部１０の処理負荷を軽減することができる。
【００６５】
次に、パネル制御部１０は、判定処理の実行時点に到ったか否か（判定処理開始の条件を満たしたか否か、予め定められた時点に到ったか否か）を判断する（ステップ♯４）。判定処理は、予め定められた時点で行われる。予め定められた時点は、適宜定めることができる。例えば、複合機１００に設けられるメインスイッチによる複合機１００の主電源投入や、省電力モードから通常モードへの復帰により、操作パネル１の全体に対して、電力供給が開始、再開されてから、一定時間が経過した時点と定めることができる。例えば、一定時間は、数秒〜１０分程度の範囲で適宜定めることができる（例えば、操作パネル１で設定可能）。
【００６６】
これにより、例えば、複合機１００の主電源投入後、１分や数分程度など、所望の時間が経過したときに自動的に判定処理を行わせることができる。また、直前の判定処理が終了してから、又は、直前の判定処理により開始されたヒーター８への通電が停止されてから、判定処理を行う周期分の時間が経過した時点を予め定められた時点と定めることができる。
【００６７】
判定処理の実行時点に到っていなければ（ステップ♯４のＮｏ）、フローはステップ♯４に戻り、判定処理の実行すべき時点となったか否かの確認を続ける。一方、判定処理の実行時点に到っていると（ステップ♯４のＹｅｓ）、パネル制御部１０は温度センサー５の出力に基づき、判定処理実行時点の温度である現在温度を計測する（ステップ♯５）。
【００６８】
そして、パネル制御部１０は、基準温度、基準相対湿度、基準温度での飽和水蒸気量（基準飽和水蒸気量）、現在温度での飽和水蒸気量（現在飽和水蒸気量）に基づき、判定処理実行時の（現時点の）予測相対湿度と予測絶対湿度の何れか一方、又は、両方を予測値として算出する（ステップ♯６）。
【００６９】
まず、温度に対する飽和水蒸気量の変化は、線型ではないところ、メモリー７は、各温度での飽和水蒸気量を示すデータ（テーブル）である飽和水蒸気量データｄ２を記憶する（図４参照）。そして、パネル制御部１０は、現在温度を計測し、飽和水蒸気量データｄ２を参照し、現在飽和水蒸気量を認識する。また、パネル制御部１０は、基準飽和水蒸気量も認識する。
【００７０】
例えば、パネル制御部１０は、基準温度を２０．０°Ｃと計測したとき、メモリー７での２０．０°Ｃに対応する飽和水蒸気量として定められた値（例えば、１７．３［ｇ／ｍ3］）を基準飽和水蒸気量として読み出す。また、パネル制御部１０は、現在温度を１０．０°Ｃと計測しているとき、メモリー７での１０．０°Ｃに対応する飽和水蒸気量として定められた値（例えば、９．４［ｇ／ｍ3］）を、現在飽和水蒸気量として読み出す。
【００７１】
また、パネル制御部１０は、基準飽和水蒸気量に、基準相対湿度を乗じて基準温度での絶対湿度（空気中の水分量）を求める。例えば、基準温度での湿度が６０％のとき、パネル制御部１０は、基準飽和水蒸気量に６０％（０．６）を乗じて、基準温度での空気中の絶対湿度を求める（例えば、１７．３（２０°Ｃの飽和水蒸気量）×０．６≒１０．４［ｇ／ｍ3］）。また、例えば、基準温度での湿度が５０％のとき、パネル制御部１０は、飽和水蒸気量に５０％（０．５）を乗じて、基準温度での空気中の絶対湿度を求める（例えば、１７．３（２０°Ｃの飽和水蒸気量）×０．５≒８．７［ｇ／ｍ3］）
【００７２】
上述のように、湿度センサー６の湿度検知素子６１は、感湿材を含み、感湿材が含む水分量による温度検知素子の特性の変化によって、湿度センサー６の出力電圧値は、相対湿度に応じた値となる。しかし、例えば、湿度変化があったとき、感湿材での水分蒸発や吸収が行われてから湿度センサー６の出力の変化が現れるなどの理由によって、湿度変化に対して、リアルタイムに湿度センサー６の出力電圧値が変化しない場合がある。そのため、判定処理時に検知された相対湿度と、実際の相対湿度に差がある場合がある。そこで、本実施形態の操作パネル１では、ヒーター８に通電を行うか否かの判定を、判定処理時の湿度（現時点で検知される湿度）を用いずに、電源投入時のような予め定められた基準時点（詳細は後述）での温度（基準温度）、相対湿度（基準相対湿度）、飽和水蒸気量（基準飽和水蒸気量）を用いて行うようにする。
【００７３】
そして、操作パネル１内は、ある程度閉じられており、空気中の水分量の変化は、緩やかな場合が多い。そこで、パネル制御部１０は、基準温度での絶対湿度（基準絶対湿度）を、現在温度での絶対湿度である予測絶対湿度として扱う。
【００７４】
また、相対湿度は、飽和水蒸気量に対する空気中の水蒸気量（絶対湿度）の比率である。そこで、予測絶対湿度を現在飽和水蒸気量で除すことにより、パネル制御部１０は、判定処理実行時点（現時点）での予測相対湿度を算出することができる。
【００７５】
続いて、パネル制御部１０は、算出した予測値が、予め定められた閾値Ｔｈ以上であるか否かを確認する（ステップ♯７）。この閾値Ｔｈは、ヒーター８に通電を行うか否かを定めるための値である。メモリー７は、この閾値Ｔｈを記憶する（図４参照）。
【００７６】
閾値Ｔｈは、適宜定めることができる。予測値として予測相対湿度を算出するとき、相対湿度１００％、又は、相対湿度１００％から予め定められたマージンを減じた相対湿度が閾値Ｔｈとして定められる。尚、マージンを多く取るほど、表示部４での結露は生じにくくなるが、ヒーター８への通電頻度が高くなり、消費される電力が増加しやすくなる。そこで、本実施形態の操作パネル１では、例えば、相対湿度９０％以上の値が閾値Ｔｈとして定められる。尚、基準絶対湿度（基準絶対湿度）を用いて、予測相対湿度を求めるので、予測相対湿度は、１００％を越える値となる場合がある。
【００７７】
また、予測値として予測絶対湿度（空気中の水分量）を算出するとき、現在飽和水蒸気量、又は、現在飽和水蒸気量から予め定められたマージンを減じた絶対湿度（水蒸気量）が閾値Ｔｈとして定められる。尚、マージンを多く取るほど、表示部４での結露は生じにくくなる。しかし、ヒーター８への通電頻度が高くなり、消費される電力が増加しやすくなる。そこで、本実施形態の操作パネル１では、現在飽和水蒸気量の９０％以上の値が閾値Ｔｈとして定められる。
【００７８】
尚、予測値として予測相対湿度を算出するとき、閾値Ｔｈは、１つの値でよい。従って、メモリー７で占める容量は少なくて済む。一方、予測値として予測絶対湿度を算出するとき、飽和水蒸気量データｄ２を流用することにより、現在飽和水蒸気量を求めることができる。予測値を予測相対湿度として算出しても、予測絶対湿度として算出しても、メモリー７中で閾値Ｔｈが占める記憶領域は、少なくて済む。従って、予測値は、予測相対湿度として算出してもよいし、予測絶対湿度として算出してもよい。
【００７９】
算出した予測値が、予め定められた閾値Ｔｈ以上であるとき（ステップ♯７のＹｅｓ）、パネル制御部１０は、駆動回路１０ｂに指示を与え、ヒーター８への通電を開始させる（ステップ♯８）。そして、パネル制御部１０は、温度、湿度の監視を開始する（ステップ♯９）。
【００８０】
そして、パネル制御部１０は、ヒーター８の停止条件が満たされたか否かを確認する（ステップ♯１０）。具体的に、パネル制御部１０は、ヒーター８への通電開始から検知温度の上昇を検知するとともに、飽和水蒸気量が予測絶対湿度以上の温度が検知されたとき、ヒーター８の停止条件が満たされたと判断してもよい。尚、メモリー７に、過昇温防止用のヒーター８の温度制御プログラムを記憶させておき、パネル制御部１０は、過昇温防止用のヒーター８の温度制御プログラム上でヒーター８への通電を停止すべきとき、ヒーター８の停止条件が満たされたと判断してもよい。
【００８１】
ヒーター８の停止条件が満たされていなければ（ステップ♯１０のＮｏ）、フローは、ステップ♯９に戻る。その結果、ヒーター８停止条件が満たされるまで、パネル制御部１０は、ヒーター８への通電を続けさせる。一方、ヒーター８停止条件が満たされると（ステップ♯１０のＹｅｓ）、パネル制御部１０は、駆動回路１０ｂを制御して、ヒーター８への通電を停止させる（ステップ♯１１）。
【００８２】
また、算出した予測値が、予め定められた閾値Ｔｈ未満であるとき（ステップ♯７のＮｏ）、パネル制御部１０は、ヒーター８への通電不要と判定する（ステップ♯１２）。その結果、パネル制御部１０は、ヒーター８への通電を駆動回路１０ｂに行わせない。
【００８３】
そして、ステップ♯１１とステップ♯１２の後、パネル制御部１０は、再度、判定処理を実行すべき時間に到ったか否かを確認する（ステップ♯１３）。具体的に、ヒーター８への通電を行ったとき（ステップ♯８〜ステップ♯１１）、パネル制御部１０は、ヒーター８への通電停止から定めた判定処理の実行の周期が経過したときに、再度、判定処理を実行すべき時間に到ったと判断する。一方、ヒーター８への通電不要と判定したとき（ステップ♯１２）、通電不要と判定したときから、定めた判定処理の実行の周期が経過したときに、再度、判定処理を実行すべき時間に到ったと判断する。
【００８４】
再度、判定処理を実行すべきとき（ステップ♯１３のＹｅｓ）、パネル制御部１０は、今回の判定処理での現在温度を計測する（ステップ♯１４）。このとき、直前の判定処理のときの現在温度と、現時点で（ステップ♯１４で）検知された現在温度との温度差の絶対値が小さいとき、周囲の温度は比較的安定していると考えられ、結露を生じさせる状態（例えば、低温のものに高温の空気が触れる）は生じがたいといえる。この場合、パネル制御部１０は、直前の判定処理のときの現在温度と現時点で検知された現在温度との温度差の絶対値が小さいほど、判定処理の実行の周期を長くする調整を行う。また、反対に、パネル制御部１０は、直前の判定処理のときの現在温度と現時点で検知された現在温度との温度差の絶対値が大きいほど、判定処理の実行の周期を短くするする調整を行う。このように、パネル制御部１０は、判定処理の実行時点で検知された温度に基づき、周期の微調整を行う（ステップ♯１５）。そして、フローはステップ♯６に戻る。
【００８５】
一方、再度、判定処理の実行時に到っていないとき（ステップ♯１３のＮｏ）、パネル制御部１０は、基準温度と基準相対湿度の更新を行うべきか否かを確認する（ステップ♯１６）。具体的に、パネル制御部１０は、直前の基準時点から「予め定められた時間」が経過していると、基準温度と基準相対湿度の更新を行うべきと判断する。
【００８６】
ここで、「予め定められた時間」は、適宜定めることができる。しかし、予め定められた時間が、判定処理の実行の周期よりも短すぎると、判定処理と次の判定処理の間で複数回にわたって基準温度と基準相対湿度の更新がなされる。そのため、「予め定められた時間」は、判定処理の実行の最短周期、又は、最長周期よりも長い範囲で定めるようにしてもよい。例えば、「予め定められた時間（基準温度と基準相対湿度の更新）」は、判定処理の実行の最長周期の複数倍とすることができる。
【００８７】
基準温度と基準相対湿度の更新の必要が無ければ（ステップ♯１６のＮｏ）、フローはステップ♯１３に戻る。一方、基準温度と基準相対湿度の更新を行うべきとき（ステップ♯１６のＹｅｓ）、パネル制御部１０は、温度センサー５と湿度センサー６の出力に基づき、新たに基準温度と基準相対湿度を計測し、基準温度と基準相対湿度を更新する（更新後の値をメモリー７に記憶させる。基準温度に変化があったとき、あわせて、基準温度に対する基準飽和水蒸気量・現在飽和水蒸気量も更新される）（ステップ♯１７）。そして、フローは、ステップ♯１３に戻る。そして、本フローは、主電源（メインスイッチ）のＯＦＦや、省電力モード移行によって、複合機１００や操作パネル１に対する電力供給が停止されるまで、続けられる（何れかの時点で停止させてもよい）。
【００８８】
このようにして、本実施形態にかかる表示装置（操作パネル１）は、表示部４（液晶表示部４ａ、バックライト部４ｂ、タッチパネル部４ｃ）と、温度センサー５と、湿度センサー６と、ヒーター８と、制御部（パネル制御部１０）を含む。表示部４は、画面に画像を表示する。温度センサー５は、表示部４内の温度を計測するためのものである。湿度センサー６は、表示部４内の湿度を計測するためのものである。ヒーター８は、表示部４を温める。制御部は、温度センサー５の出力に基づいて表示装置（操作パネル１）の温度を計測するとともに、湿度センサー６の出力に基づいて相対湿度を計測し、ヒーター８に通電を行うか否かの判定処理を実行する。制御部は、判定処理において、判定処理の実行時の温度である現在温度を計測し、判定処理よりも前の時点であって予め定められた基準時点で計測しておいた温度である基準温度、基準時点での相対湿度である基準相対湿度、基準温度での飽和水蒸気量である基準飽和水蒸気量、基準温度、基準相対湿度、基準飽和水蒸気量から求めた基準時点での基準絶対湿度、及び、現在温度での飽和水蒸気量である現在飽和水蒸気量に基づいて、前記判定処理の実行時の前記表示部の内部の予測相対湿度、又は、予測絶対湿度の何れか一方、又は、両方である予測値を算出し、予測値が予め定められた閾値以上であるとき、ヒーター８への通電を開始し、予測値が閾値を下回っているとき、ヒーター８への通電を行わないこととした。
【００８９】
実際の湿度変化に対し、湿度センサー６の出力値がリアルタイムに変化しない（追従が遅れる）場合があり、湿度センサー６の出力に基づいて検知される湿度だけに基づくと、結露が生ずるか否か（ヒーター８に通電すべきが否か）を正確に判断できない場合がある。また、温度センサー５のみを用いても、判定結果が正確ではない場合がある。そこで、本発明では、温度センサー５と湿度センサー６を用い、更には、基準飽和水蒸気量・現在飽和水蒸気量の要素を組み込み、基準温度と基準相対湿度と、基準飽和水蒸気量と、判定処理の実行時の基準飽和水蒸気量・現在飽和水蒸気量に基づき、判定処理時の相対湿度や絶対湿度を予測する。
【００９０】
これにより、温度変化に伴う基準飽和水蒸気量・現在飽和水蒸気量の変化を、適切に結露が生ずるか否か（ヒーター８に通電すべきが否か）の判定の材料に組み入れることができ、結露防止のため、正確にヒーター８に通電すべきが否かを判定することができる。従って、結露が生じないと認められるのにヒーター８に通電することや、結露が生ずる可能性が高いのにヒーター８への通電が必要ないと判断することが無くなる。そのため、結露によりヒーター８への通電を行うべきときに、正確にヒーター８への通電がなされ、結露の発生を適切に防ぐことができる。また、結露が生じないような場合に、ヒーター８への通電が行われることを無くすことができるので、ヒーター８での無駄な電力消費を無くすことができる。
【００９１】
また、制御部（パネル制御部１０）は、判定処理によりヒーター８への通電を開始した後、温度センサー５の出力に基づき温度の上昇を検知するとともに、飽和水蒸気量が予測絶対湿度以上の温度が検知されたとき、ヒーター８への通電を停止することとした。
【００９２】
これにより、表示装置（操作パネル１）や表示部４（液晶表示部４ａ、バックライト部４ｂ、タッチパネル部４ｃ）の温度が上昇し、湿度が下降して、結露の虞がなくなった時点で、ヒーター８への通電を停止させることができる。従って、必要以上に長い時間、ヒーター８に通電は行われず、電力の無駄な消費を無くすことができる。
【００９３】
また、制御部（パネル制御部１０）は、判定処理を周期的に行い、基準相対湿度が高いほど判定処理を行う周期を短くし、基準相対湿度が低いほど判定処理を行う周期を長くする。
【００９４】
これにより、基準相対湿度が高くて結露の可能性が高いレベルにある状態では、判定処理を行う頻度を高くすることができ、未然に結露の発生を防ぐことができる。また、基準相対湿度が低くて結露の可能性が低いレベルにある状態では、判定処理を行う頻度を抑え、判定処理が無駄に繰り返されないようにすることができる。
【００９５】
また、制御部（パネル制御部１０）は、判定処理の結果に基づきヒーター８への通電を行い、現時点の判定処理で検知された現在温度と、直前の判定処理での現在温度との温度差の絶対値が小さいほど判定処理を行う前記周期を長くし、温度差の絶対値が大きいほど周期を短くする。
【００９６】
空気と表示部や操作パネルの部材の温度差の絶対値が小さいと結露が生じ難く、その上、結露するような場合にはヒーターにより除湿が行われるので、今回の時点と直前の時点の温度差の絶対値が小さければ、結露は生じ難くなる。そのため、温度差の絶対値が小さいほど、判定処理を行う頻度を抑えることにより、無駄な処理が行われることを防ぐことができる。
【００９７】
また、制御部（パネル制御部１０）は、電源供給開始により制御部が起動したとき、基準温度及び基準相対湿度を計測し、更に、直前の基準時点から予め定められた時間が経過したときを新たな基準時点として、基準温度及び基準相対湿度を更新する。
【００９８】
これにより、主電源が投入された時点に基準温度や基準相対湿度が取得される。始業時に主電源が投入された場合のように、長時間、画像形成装置が同様の温湿度環境にあったと認められる状態での温度、湿度を基準温度、基準相対湿度と定めることができる。また、室内の空調の存在などを考慮し、基準温度、基準相対湿度は随時更新されるので、基準速度や基準速度は、画像形成装置の周囲環境の変化に応じた値に設定される。尚、「予め定められた時間」は、表示装置（操作パネル１）の構造や、湿度センサー６の設置位置を考慮して適宜定めることができる（例えば、２〜６０分の間の何れか、省電力モードからの復帰時など）。
【００９９】
また、制御部（パネル制御部１０）は、相対湿度１００％、相対湿度１００％から予め定められたマージン分を減じた相対湿度、現在飽和水蒸気量、又は、現在飽和水蒸気量から予め定められたマージン分を減じた絶対湿度の何れかを閾値Ｔｈとする。
【０１００】
これにより、少なくとも、相対湿度１００％となっている場合や、空気中の絶対湿度が基準飽和水蒸気量・現在飽和水蒸気量になっている状態では、確実に、ヒーター８に通電がなされる。また、マージンによって、結露が発生する事前にヒーター８で温めることにより、結露を生じ難くすることができる。尚、「予め定められたマージン分」は、相対湿度や絶対湿度について、表示装置（操作パネル１）の構造や、湿度センサー６の設置位置を考慮して、維持しておけば、まず結露が生じないと認める値を実験などで定めるなどにより、適宜定めることができる。
【０１０１】
また、表示部４（液晶表示部４ａ、タッチパネル部４ｃ）が見えるように開口部１２ａを有し、表示部４を覆うカバーを含み、ヒーター８は、開口部１２ａの辺のうち、何れか１つ、又は、複数の辺に沿うように設けられる。
【０１０２】
これにより、表示部４（液晶表示部４ａ、タッチパネル部４ｃ）の画面が見えづらくなることなく、表示部４を効率的に温めることができる。
【０１０３】
また、実施形態に係る画像形成装置（複合機１００）は、上述した表示装置（操作パネル１）を含む。従って、表示装置での結露が生じない画像形成装置を提供することができる。また、結露が生じない状況のとき、ヒーター８に通電が行われることもないので、無駄な電力消費のない画像形成装置を提供することができる。
【０１０４】
本発明の実施形態を説明したが、本発明の範囲はこれに限定されるものではなく、発明の主旨を逸脱しない範囲で種々の変更を加えて実施することができる。
【産業上の利用可能性】
【０１０５】
本発明は、表示部、温度センサー、湿度センサー、ヒーターを有する表示装置や、このような表示装置を含む画像形成装置に利用可能である。
【符号の説明】
【０１０６】
１      操作パネル（表示装置）          １０    パネル制御部（制御部）
１２    カバー                          １２ａ  開口部
４      表示部                          ４ａ    液晶表示部（表示部）
４ｂ    バックライト部（表示部）        ４ｃ    タッチパネル部（表示部）
５      温度センサー                    ６      湿度センサー
８      ヒーター                        １００  複合機（画像形成装置）
Ｔｈ    閾値
【図１】
2015158634.tif 000003
【図２】
2015158634.tif 000004
【図３】
2015158634.tif 000005
【図４】
2015158634.tif 000006
【図５】
2015158634.tif 000007
【図６】
2015158634.tif 000008
【図７】
2015158634.tif 000009